(57)【要約】      （修正有）【課題】ＬＥＤを使用した照明装置において、ＬＥＤが円形に順次点滅したり、点滅模様を選択したり、点滅回転速度を選択したりすることができる照明装置を提供する。【解決手段】プリント基板１上に円状に配置されたＬＥＤ６〜１３と円の中心部に配置されたＬＥＤ１４〜１７とによる照明手段と円状に配置されたＬＥＤ６〜１３の点滅を駆動するマイクロコンピューター１８を使用した制御手段と、そのマイクロコンピューター１８の入力端子にスイッチやボリュームを接続した点滅模様切り替え手段及び点滅回転速度切り替え手段と、ＬＥＤやマイコンに電源を供給する電源手段とからなる。【選択図】図１
0003178481.tif 000002
【実用新案登録請求の範囲】
【請求項１】
ＬＥＤやマイクロコンピューターに電源を供給する電源手段とプリント基板上に照明手段であるＬＥＤを複数個、円形状に設置し、制御手段であるマイクロコンピューターを設置し、ＬＥＤを順次点滅回転させるようになした照明装置に於いて、あらかじめ設定された同時に点灯するＬＥＤの数や、ＬＥＤの位置の違いによる点滅模様の切り替えが出来るようにマイクロコンピューターの入力端子に、点滅模様切り替え手段である点滅模様切り替えスイッチを設けた事を特徴とする照明装置。
【請求項２】
ＬＥＤやマイクロコンピューターに電源を供給する電源手段とプリント基板上に照明手段であるＬＥＤを複数個、円形状に設置し、制御手段であるマイクロコンピューターを設置し、ＬＥＤを順次点滅回転させるようになした照明装置に於いて、あらかじめ設定された同時に点灯するＬＥＤの数や、ＬＥＤの位置の違いによる点滅模様の切り替えが連続して出来るようにマイクロコンピューターのＡ／Ｄ入力端子に、点滅模様切り替え手段である点滅模様切り替えボリュームを設けた事を特徴とする照明装置。
【請求項３】
ＬＥＤやマイクロコンピューターに電源を供給する電源手段とプリント基板上に照明手段であるＬＥＤを複数個、円形状に設置し、制御手段であるマイクロコンピューターを設置し、ＬＥＤを順次点滅させるようになした照明装置に於いて、あらかじめ設定された点滅回転速度で順次点滅回転するようになし、早い点滅回転速度のときは、残像効果があらわれる速さとし、遅い点滅回転速度のときは残像効果が出ない速さとするようマイクロコンピューターの入力端子に、点滅回転速度切り替え手段である点滅回転速度切り替えスイッチを設けた事を特徴とする照明装置。
【請求項４】
ＬＥＤやマイクロコンピューターに電源を供給する電源手段とプリント基板上に照明手段であるＬＥＤを複数個、円形状に設置し、制御手段であるマイクロコンピューターを設置し、ＬＥＤを順次点滅させるようになした照明装置に於いて、あらかじめ設定された点滅回転速度で順次点滅回転するようになし、早い点滅回転速度のときは、残像効果があらわれる速さとし、遅い点滅回転速度のときは残像効果が出ない速さとするよう連続して点滅回転速度がかえられるようマイクロコンピューターのＡ／Ｄ入力端子に、点滅回転速度切り替え手段である点滅回転速度切り替えボリュームを設けた事を特徴とする照明装置。
【請求項５】
ＬＥＤやマイクロコンピューターに電源を供給する電源手段とプリント基板上に照明手段であるＬＥＤを複数個、円形状に設置し、ＬＥＤを順次点滅させるようになした照明装置に於いて、電源スイッチがオン状態の時は常時点灯して明るさを増すために、円形状に設置されたＬＥＤの円のほぼ中心部にＬＥＤを複数個配置したことを特徴とした照明装置。
【考案の詳細な説明】
【技術分野】
【０００１】    本考案は、ＬＥＤ（発光ダイオード）を光源とし、円形（輪形）に順次点滅する照明    装置に関する。
【背景技術】
【０００２】    従来の照明装置で、円形に順次点滅するものはあるが、円形に順次点滅するときの点滅模様を選択したり、点滅回転速度を選択したりすることができるものは無い。
【先行技術文献】
【特許文献】
【０００３】    フラッシュライトとして、例えば実用新案公開平７−２３３８１に記載されているようなものがある。
【考案の概要】
【考案が解決しようとする課題】
【０００４】    しかしながら、従来は上記特許文献のように、ＬＥＤが円形に順次点滅するものは有るが、点滅模様を選択したり、点滅回転速度を選択したりすることができるものは無い。円形に順次点滅するだけでは、ＬＥＤの点灯を注視させる効果が十分でないため、点滅模様を選択出来るようにしたり、また残像効果を出して点灯しているように見せたりするため、点滅回転速度を上げたりし、選択出来るようにしたいという課題がある。またＬＥＤが円形に順次点滅するだけでは照明の明るさが足りないので、明るさを増したいという課題がある。
【課題を解決するための手段】
【０００５】    この課題を達成する為、本考案装置は、プリント基板上に円形状に配置されたＬＥＤと、円のほぼ中心部に配置されたＬＥＤとによる照明手段と円形状に配置されたＬＥＤの点滅を駆動するマイクロコンピューターを使用した制御手段と、そのマイクロコンピューターの入力端子に点滅模様切り替えスイッチを接続した点滅模様切り替え手段と更に点滅回転速度切り替えスイッチを接続した点滅回転速度切り替え手段と、更にＬＥＤやマイコンに電源を供給する電源手段とからなる照明装置。
【考案の効果】
【０００６】    上記手段及び構成による本考案によれば、点滅模様切り替え手段の点滅模様切り替えスイッチの切り替えにより、ＬＥＤが円形に順次点滅する模様を、隣接し点灯するＬＥＤ２個が順次点灯後、消灯する例や、１８０度反対側に位置するＬＥＤと共に２個が順次点滅後、消灯する例など、同時点灯するＬＥＤの数をかえたり、点灯する位置を変えたり、あらかじめマイクロコンピューターのプログラムを作成しておくことで行うことが出来、ＬＥＤの点灯を注視させる効果があがる。同様に点滅回転速度切り替え手段の点滅回転速度切り替えスイッチの切り替えによりＬＥＤが円形に順次点滅して１周する回転速度を選択することができる。順次点滅する回転速度を上げると残像効果により尾を引いて点灯しているように見えたり、更に回転速度を上げると円形に見たりすることが出来る。また円形状に配置されたＬＥＤの中心部に配置された複数のＬＥＤは、通電時は常時点灯し、照明の明るさを増す効果を上げることが出来る。このようにしてＬＥＤの点灯の認識度を上げることが出来、携帯用照明装置や、イベント用照明装置や、交通機関の照明装置や、工事安全用照明装置などに利用することができる。
【図面の簡単な説明】
【０００７】
【図１】本考案の一実施例を示す照明装置の正面図
【図２】本考案の一実施例を示す照明装置の側面図
【図３】本考案の一実施例を示す照明装置の平面図
【図４】本考案の一実施例を示す照明装置の回路図
【図５】本考案の一実施例を示す照明装置の点滅模様例１で、（ａ）はＬＥＤ１、ＬＥＤ２の点灯を示し、（ｂ）はＬＥＤ２、ＬＥＤ３の点灯を示し、（ｃ）はＬＥＤ３、ＬＥＤ４の点灯を示し、（ｄ）はＬＥＤ４、ＬＥＤ５の点灯を示し、（ｅ）はＬＥＤ５、ＬＥＤ６の点灯を示し、（ｆ）はＬＥＤ６、ＬＥＤ７の点灯を示し、（ｇ）はＬＥＤ７、ＬＥＤ８の点灯を示し、（ｈ）はＬＥＤ８、ＬＥＤ１の点灯を示す。夫々、円中央のＬＥＤは常時点灯を示す。
【図６】本考案の一実施例を示す照明装置の点滅模様例２で、（ｉ）はＬＥＤ１、ＬＥＤ５の点灯を示し、（ｊ）はＬＥＤ２、ＬＥＤ６の点灯を示し、（ｋ）はＬＥＤ３、ＬＥＤ７の点灯を示し、（ｌ）はＬＥＤ４、ＬＥＤ８の点灯を示す。夫々、円中央のＬＥＤは常時点灯を示す。
【図７】本考案の一実施例を示す照明装置のボリューム接続時の回路図
【考案を実施するための形態】
【実施例】
【０００８】    以下、本考案を具体化した実施例を図１から図６を参照にして説明する。プリント基板１のほぼ中心部にＬＥＤ▲９▼１４、ＬＥＤ▲１０▼１５、ＬＥＤ▲１１▼１６、ＬＥＤ▲１２▼１７が取り付けられ、抵抗▲９▼３０を通して電源スイッチ２がオン状態のときは常時点灯する。更にほぼ中心部より外側にＬＥＤ▲１▼６、ＬＥＤ▲２▼７、ＬＥＤ▲３▼８、ＬＥＤ▲４▼９、ＬＥＤ▲５▼１０、ＬＥＤ▲６▼１１、ＬＥＤ▲７▼１２、ＬＥＤ▲８▼１３が円形状に取り付けられ各ＬＥＤは、図４本考案の一実施例を示す照明装置の回路図のように夫々抵抗▲１▼２２、抵抗▲２▼２３、抵抗▲３▼２４、抵抗▲４▼２５、抵抗▲５▼２６、抵抗▲６▼２７、抵抗▲７▼２８、抵抗▲８▼２９を通して、マイクロコンピューター１８の出力端子に夫々接続され点滅動作を制御される。更にプリント基板１上のマイクロコンピューター１８の入力端子には、点滅模様切り替え手段である点滅模様切り替えスイッチ４が接続され、ＬＥＤ▲１▼６からＬＥＤ▲８▼１３の点滅時の模様を切り替えることが出来る。点滅模様切り替えスイッチ４の位置がｍの時は、図５本考案の一実施例を示す照明装置の点滅模様例１のように（ａ）、（ｂ）、（ｃ）、（ｄ）、（ｅ）、（ｆ）、（ｇ）、（ｈ）、（ａ）のように各ＬＥＤが順次点滅をなすようマイクロコンピューター１８にて制御を行い、光が回転して見ることができる。更に点滅模様切り替えスイッチ４の位置がｎの時は、図６本考案の一実施例を示す照明装置の点滅模様例２のように（ｉ）、（ｊ），（ｋ）、（ｌ）、（ｉ）のように各ＬＥＤが順次点滅をなすようマイクロコンピューター１８にて制御を行い、光が回転して見ることができる。更にマイクロコンピューター１８の入力端子には、点滅回転速度切り替え手段である点滅回転速度切り替えスイッチ５が接続され、ＬＥＤ▲１▼６からＬＥＤ▲８▼１３の順次点滅する時間の切り替えをマイクロコンピューター１８にて制御を行い、順次点滅回転速度を早く回転させて残像効果により、尾を引いて見えたり、円形に見えたりすることが出来る。人の目の分解能は約５０ｍＳから１００ｍＳであるといわれている。この時間より短い光の点滅は、連続点灯しているように知覚される。点滅回転速度切り替えスイッチ５がｏ側の時は、順次点滅回転速度を早く回転させて点灯時間を短くし、残像効果を出す。点滅回転速度切り替えスイッチ５がｐ側の時は、順次点滅回転速度を遅く回転させて残像効果を無くす。点滅模様切り替え手段と点滅回転速度切り替え手段は、スイッチの代わりにボリュームを使用することにより連続して多数の切り替えを行うことができる。図７本考案の一実施例を示す照明装置のボリューム接続時の回路図のように、点滅模様切り替え手段として点滅模様切り替えボリューム３８をマイクロコンピューター１８のＡ／Ｄ変換入力端子に接続し、Ａ／Ｄ変換の最大分解能力数の点滅模様にてあらかじめプログラムソフトを作成しておくことで出力制御することが出来る。点滅回転速度切り替え手段として点滅回転速度切り替えボリューム３９をマイクロコンピューター１８のＡ／Ｄ変換入力端子に接続し、Ａ／Ｄ変換の最大分解能力数の点滅回転速度にて、あらかじめプログラム��フトを作成しておくことで出力制御することが出来る。プリント基板１上にはその他、定電圧電源ＩＣ（３端子レギュレーター）１９及びコンデンサー▲１▼２０、コンデンサー▲２▼２１により、安定化電源を形成する。電池▲１▼３３、電池▲２▼３４、電池▲３▼３５、電池▲４▼３６は電池ボックス３２内に収納され電源として供給される。電池ボックス３２は任意の方法で蓋が開閉され電池の取り出しが可能とする。外部電源端子３７は任意の場所に設置され、電池以外の電源を使用のとき外部より電源が供給される。外装手段である枠３は、ほぼ中心部に円形の穴があき、ＬＥＤ▲１▼６からＬＥＤ▲８▼１３が穴の内側に入るように形成される。前面には、前面透明カバー３１が取り付けらる。前面透明カバー３１、枠３、プリント基板１、電池ボックス３３の各構成部は接着、ネジ、勘合等任意の方法で結合して一体となしたものである。ＬＥＤの数は本実施例の数の限定されるものではない。また点灯模様の切り替え数は本実施例の数に限定されるものではない。点滅回転速度の切り替え数も本実施例の数に限定されるものではない。マイクロコンピューター１８による制御はプログラムソフトによるものであり、入力端子の検出やＡ／Ｄ変換や、出力端子の点滅時間や、点滅模様のコントロールを行う。ピン配置や、ピン数は実施例に限定されるものではない。各スイッチ及びボリュームの取り付け位置は、プリント基板１上に限定するものではない。ＬＥＤの配置は正しい円形状に限定するものではなく円形状がくずれた形の輪形状にしたものでもよい。
【符号の説明】
【０００９】１  プリント基板
２  電源スイッチ
３  枠
４  点滅模様切り替えスイッチ
５  点滅回転速度切り替えスイッチ
６  ＬＥＤ▲１▼
７  ＬＥＤ▲２▼
８  ＬＥＤ▲３▼
９  ＬＥＤ▲４▼
１０  ＬＥＤ▲５▼
１１  ＬＥＤ▲６▼
１２  ＬＥＤ▲７▼
１３  ＬＥＤ▲８▼
１４  ＬＥＤ▲９▼
１５  ＬＥＤ▲１０▼
１６  ＬＥＤ▲１１▼
１７  ＬＥＤ▲１２▼
１８  マイクロコンピューター
１９  定電圧電源ＩＣ（３端子レギュレーター）
２０  コンデンサー▲１▼
２１  コンデンサー▲２▼
２２  抵抗▲１▼
２３  抵抗▲２▼
２４  抵抗▲３▼
２５  抵抗▲４▼
２６  抵抗▲５▼
２７  抵抗▲６▼
２８  抵抗▲７▼
２９  抵抗▲８▼
３０  抵抗▲９▼
３１  前面透明カバー
３２  電池ボックス
３３  電池▲１▼
３４  電池▲２▼
３５  電池▲３▼
３６  電池▲４▼
３７  外部電源端子
３８  点滅模様切り替えボリューム
３９  点滅回転速度切り替えボリューム
【図１】
0003178481.tif 000003
【図２】
0003178481.tif 000004
【図３】
0003178481.tif 000005
【図４】
0003178481.tif 000006
【図５】
0003178481.tif 000007
【図６】
0003178481.tif 000008
【図７】
0003178481.tif 000009
【手続補正書】
【提出日】平成24年6月29日(2012.6.29)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤやマイクロコンピューターに電源を供給する電源手段とプリント基板上に照明手段であるＬＥＤを複数個、円形状に設置し、制御手段であるマイクロコンピューターを設置し、ＬＥＤを順次点滅回転させるようになした照明装置に於いて、あらかじめ設定された同時に点灯するＬＥＤの数や、ＬＥＤの位置の違いによる点滅模様の切り替えが出来るようにマイクロコンピューターの入力端子に、点滅模様切り替え手段である点滅模様切り替えスイッチを設けた事を特徴とする照明装置。
【請求項２】
ＬＥＤやマイクロコンピューターに電源を供給する電源手段とプリント基板上に照明手段であるＬＥＤを複数個、円形状に設置し、制御手段であるマイクロコンピューターを設置し、ＬＥＤを順次点滅回転させるようになした照明装置に於いて、あらかじめ設定された同時に点灯するＬＥＤの数や、ＬＥＤの位置の違いによる点滅模様の切り替えが連続して出来るようにマイクロコンピューターのＡ／Ｄ入力端子に、点滅模様切り替え手段である点滅模様切り替えボリュームを設けた事を特徴とする照明装置。
【請求項３】
ＬＥＤやマイクロコンピューターに電源を供給する電源手段とプリント基板上に照明手段であるＬＥＤを複数個、円形状に設置し、制御手段であるマイクロコンピューターを設置し、ＬＥＤを順次点滅させるようになした照明装置に於いて、あらかじめ設定された点滅回転速度で順次点滅回転するようになし、早い点滅回転速度のときは、残像効果があらわれる速さとし、遅い点滅回転速度のときは残像効果が出ない速さとするようマイクロコンピューターの入力端子に、点滅回転速度切り替え手段である点滅回転速度切り替えスイッチを設けた事を特徴とする請求項１記載の照明装置。
【請求項４】
ＬＥＤやマイクロコンピューターに電源を供給する電源手段とプリント基板上に照明手段であるＬＥＤを複数個、円形状に設置し、制御手段であるマイクロコンピューターを設置し、ＬＥＤを順次点滅させるようになした照明装置に於いて、あらかじめ設定された点滅回転速度で順次点滅回転するようになし、早い点滅回転速度のときは、残像効果があらわれる速さとし、遅い点滅回転速度のときは残像効果が出ない速さとするよう連続して点滅回転速度がかえられるようマイクロコンピューターのＡ／Ｄ入力端子に、点滅回転速度切り替え手段である点滅回転速度切り替えボリュームを設けた事を特徴とする請求項２記載の照明装置。
【請求項５】
ＬＥＤやマイクロコンピューターに電源を供給する電源手段とプリント基板上に照明手段であるＬＥＤを複数個、円形状に設置し、ＬＥＤを順次点滅させるようになした照明装置に於いて、電源スイッチがオン状態の時は常時点灯して明るさを増すために、円形状に設置されたＬＥＤの円のほぼ中心部にＬＥＤを複数個配置したことを特徴とした請求項１記載の照明装置。